(57)【特許請求の範囲】
【請求項１】
廃棄物の投入ステージの前端部に投入シュートが取り付けてある廃棄物積替施設の上記投入ステージ上の廃棄物投入位置に、底板と左右の側板と背板とからなり且つ背板の下端を底板の後端にヒンジにより取り付けて開閉用シリンダにて開閉できるようにしてあるチェックバケットを、上記背板が投入シュート側に面するように配置し、且つ上記チェックバケットの後端部を、投入ステージ上に設置したベースフレームにヒンジにより上下方向へ傾動自在に取り付け、更に、上記チェックバケットを傾動させるための傾動用シリンダを備えた構成を有することを特徴とする廃棄物展開チェック装置。
【請求項２】
チェックバケットを傾動させるための傾動用シリンダに代えて、巻上装置を設けた請求項１記載の廃棄物展開チェック装置。
【請求項３】
チェックバケットの底板の前端部側をスロープ状に形成した請求項１又は２記載の廃棄物展開チェック装置。
【請求項４】
チェックバケットの背板を下端のヒンジを支点に開閉用シリンダで開閉させることに代えて、背板の上端を左右の側板間にヒンジにより取り付けて、チェックバケットの傾動に伴わせて自重により開閉させるようにした請求項１、２又は３記載の廃棄物展開チェック装置。
【請求項５】
チェックバケットをベースフレームと共に移動できるようにした請求項１、２、３又は４記載の廃棄物展開チェック装置。
【発明の詳細な説明】
【０００１】
【発明の属する技術分野】
本発明は廃棄物積替施設において廃棄物を水上の運搬船へ積み替える際に不法廃棄物の有無をチェックするために用いる廃棄物展開チェック装置に関するものである。
【０００２】
【従来の技術】
陸上を運搬車両（ダンプトラック）で運ばれて来る産業廃棄物を海上の運搬船（バージ）に積み込んで沖合の埋立処分場へ搬送させるようにするための基地として海上に築造された廃棄物積替施設には、運搬車両で運ばれて来る廃棄物を運搬船に投入して積み替えを行う方式として、シュート方式、可動床方式、ベルトコンベヤ方式、グラブバケット方式等がある。
【０００３】
上記廃棄物積替施設では、運搬船へ積み替える前に不法廃棄物の有無を抜き打ちでチェックする必要がある。そのため、通常は、図７にその一例を示す如く、床ａの下に、底板ｂをシリンダｃの作動で開閉できるようにしたダンピングボックスと呼ばれる底板開閉式の箱ｄを備えたチェック専用の投入口を設け、運搬車両ｅから廃棄物を一旦投入し、バックフォー等により廃棄物を掻き回すようにしてチェックし、異状のない場合は底板ｂを開いて廃棄物を運搬船に積み込ませるようにしている。
【０００４】
【発明が解決しようとする課題】
ところが、シュート方式を採用している廃棄物積替施設の場合、投入部のスペースが小さいことを特長としているため、構造的にも複雑でしかも専用の特別なスペースが必要となるダンピングボックスは適しておらす、したがって、従来では、不法廃棄物のチェックは殆ど行われていないのが実状である。敢えて、不法廃棄物のチェックを行おうとすると、他の場所で一旦荷下ろしを行うことになるが、チェック後に廃棄物を投入シュートの位置まで運搬するためには、再度運搬車両等へ積み込む必要があり、現実的ではない。
【０００５】
そこで、本発明は、特別な設置スペースを必要とせず、チェック後、異状のない場合は廃棄物をそのまま投入シュートに投入することができるような廃棄物展開チェック装置を提供しようとするものである。
【０００６】
【課題を解決するための手段】
本発明は、上記課題を解決するために、廃棄物の投入ステージの前端部に投入シュートが取り付けてある廃棄物積替施設の上記投入ステージ上の廃棄物投入位置に、底板と左右の側板と背板とからなり且つ背板の下端を底板の後端にヒンジにより取り付けて開閉用シリンダにて開閉できるようにしてあるチェックバケットを、上記背板が投入シュート側に面するように配置し、且つ上記チェックバケットの後端部を、投入ステージ上に設置したベースフレームにヒンジにより上下方向へ傾動自在に取り付け、更に、上記チェックバケットを傾動させるための傾動用シリンダ又は巻上装置を備えた構成とする。
【０００７】
廃棄物のチェックを行う場合には、運搬車両を後向きとしてチェックバケットの底板上の半ば位置まで乗り込ませた後、チェックバケット内に廃棄物を落下させ、チェックバケット内で廃棄物のチェックを行わせ、異状のない場合は、チェックバケットを投入シュート側に傾斜させ、且つ背板を開いて廃棄物をそのまま投入シュート内に投入させる。
【０００８】
又、チェックバケットの底板の前端部側をスロープ状に形成した構成とすることにより、チェックバケットの底板上に運搬車両を容易に乗り込ませることができる。
【０００９】
更に、チェックバケットの背板を下端のヒンジを支点に開閉用シリンダで開閉させることに代えて、背板の上端を左右の側板間にヒンジにより取り付けて、チェックバケットの傾動に伴わせて自重により開閉させるようにした構成とすることによって、構造の単純化を図ることができるようになる。
【００１０】
更に又、チェックバケットをベースフレームと共に移動できるようにした構成とすることにより、メンテナンス等を海から離れた位置で行うことが可能となる。
【００１１】
【発明の実施の形態】
以下、本発明の実施の形態を図面を参照して説明する。
【００１２】
図１乃至図３は本発明の実施の一形態を示すもので、廃棄物の投入ステージ１を岸壁から海側へ向けて張り出すように構築し、該投入ステージ１の海側に張り出す前端部に、伸縮構造とした矩形断面の投入シュート２の上端部をヒンジ３により俯仰可能に取り付け、該投入シュート２を通して海上の運搬船７に廃棄物を積み込むようにしてあるシュート方式の廃棄物積替施設において、上記投入ステージ１上の投入シュート２の前部位置となる廃棄物投入位置に、コの字型に形成したベースフレーム４を、コの字の開放部が陸側に向くように固定設置し、該ベースフレーム４内に、運搬車両５が後向きの状態で乗り込めるようにしたチェックバケット６を、後端部を支点として海側へ傾動できるように配置する。
【００１３】
上記チェックバケット６は、図２及び図３に詳細を示す如く、底板６ａと左右の側板６ｂと背板６ｃとからなり、底板６ａの前端部側をスロープ状として運搬車両５が乗り込めるようにし、又、底板６ａの後端部をヒンジ１３によりベースフレーム４の後端部となるコの字状の閉鎖側端部に取り付けると共に、左右の側板６ｂの後端側上部外側に張り出させた突起ブロック８とベースフレーム４の前端部となる開放側端部との間に傾動用シリンダ９を介装させて、該傾動用シリンダ９の伸縮作動により上記ヒンジ１３を支点に全体を上下方向へ傾動できるようにしてあり、更に、背板６ｃの下端を底板６ａの後端にヒンジ１０にて回動自在に取り付け、且つ該背板６ｃの下端部外側に張り出させたブラケット１１に、底板６ａの後端部下面に設置した開閉用シリンダ１２のロッド先端を接続し、該開閉用シリンダ１２の伸縮作動で背板６ｃが上記ヒンジ１０を支点に上下方向に回動する如く開閉させられるようにした構成としてある。
【００１４】
運搬車両５によって運ばれてきた廃棄物をチェックする場合には、チェックバケット６を投入ステージ１上に定置させた状態において、先ず、図１に示す如く、運搬車両５を後向きの状態でチェックバケット６の底板６ａ上の半ば位置まで乗り込ませるようにした後、運搬車両５の荷台を上げて廃棄物をチェックバケット６内に落下させ、運搬車両５を前進させて待機させるようにする。
【００１５】
次に、上記の状態において、チェックバケット６内の廃棄物をバックホー等を用いて展開させ、チェックした後、異状のない場合は、傾動用シリンダ９を伸縮作動させることにより、図２において二点鎖線で示す如く、チェックバケット６全体を、ヒンジ１３を支点として海側へ傾動させるようにし、更に、開閉用シリンダ１２を伸縮作動させることにより背板６ｃを開くようにさせる。これにより、チェックバケット６内の廃棄物は投入シュート２内にそのまま投入されて、該投入シュート２を通って運搬船７に積み込まれる。
【００１６】
一方、廃棄物のチェックを行わない場合には、運搬車両５を、チェックバケット６の底板６ａ上の後端寄り位置まで乗り込ませた後、荷台を上げ、廃棄物を直接投入シュート２内に投入させるようにする。
【００１７】
上記において、チェックバケット６は、運搬車両５による通常の廃棄物投入位置に配置するため、特別なスペースは不要であり、且つ廃棄物のチェックは投入ステージ１とほぼ同一面で行うことができるので容易であり、しかもチェックした廃棄物が異状のないときには、廃棄物をそのまま投入シュート２に投入できるため、廃棄物を運搬車両５へ再搭載する必要がない。又、チェックバケット６の底板６ａは前端部側をスロープ状にしてあるため、運搬車両５の乗り込みを何ら支障なく行わせることができ、しかも図示の如く、底板６ａの後端部側を上向きに傾斜させておくことによって、運搬車両５の乗り込み時のストッパとして機能させることができる。
【００１８】
次に、図４は本発明の他の実施の形態を示すもので、図１乃至図３に示したものと同様な構成において、傾動用シリンダ９の伸縮作動でチェックバケット６の傾動操作を行うようにすることに代えて、巻上装置を用いるようにしたものである。すなわち、投入ステージ１の前端部に構築されている積込上屋１４の上部所要個所にチェーンブロック１５を装備させ、且つ該チェーンブロック１５のチェーン１６をチェックバケット６の前端部側に係止させるようにしたものである。なお、チェーンブロック１５は、必要に応じて装備させる数を単数又は複数とすることができる。
【００１９】
図４に示すように構成しても、上記図１乃至図３に示した実施の形態の場合と同様な作用効果が奏し得られる。
【００２０】
次いで、図５は本発明の更に他の実施の形態を示すもので、図１乃至図３に示したものと同様な構成において、ベースフレーム４の左右部間に補助ビーム１７を掛け渡して、チェックバケット６の荷重をベースフレーム４で受けられるようにし、且つベースフレーム４の前部側及び後部側の４個所に車輪１８を設けると共に、該車輪１８を昇降させるためのジャッキ装置１９を設けたものである。
【００２１】
図５に示すように構成すると、ジャッキ装置１９の操作で車輪１８を下降させてベースフレーム４を投入ステージ１面から浮上させると、チェックバケット６をベースフレーム４と一体に移動させることができるので、たとえば、メンテナンス等を行うときに、海側から離れた地点まで移動させることができ、その間に、投入シュート２への廃棄物の投入を継続して行わせることができる。なお、図３に示す実施の形態についても同様に採用することができ、その場合は、チェックバケット６に係止させてあるチェーン１６を取り外せば、全体を自由に移動させることができる。
【００２２】
又、図６は本発明の更に別の実施の形態を示すもので、上記各実施の形態において、チェックバケット６の背板６ｃを、開閉用シリンダ１２の伸縮作動により下端部のヒンジ１０を支点に開閉させるようにすることに代えて、上記背板６ｃの上端部を左右の側板６ｂにヒンジ１０により回動自在に吊り下げてフラップ構造としたものである。
【００２３】
図６に示すように構成すると、背板６ｃは上端部のヒンジ１０を支点に自重で垂れ下がるので、チェックバケット６の傾動に伴って背板６ｃを自動的に開閉することができ、これにより開閉用シリンダ９を不要にできて構造の単純化を図ることができる。
【００２４】
なお、本発明は上記実施の形態にのみ限定されるものではなく、たとえば、図１乃至図３の実施の形態で示した傾動用シリンダ９は、投入ステージ１とチェックバケット６の側板６ｂとの間に設置してもよいこと、その他本発明の要旨を逸脱しない範囲内において、種々変更を加え得ることは勿論である。
【００２５】
【発明の効果】
以上述べた如く、本発明の廃棄物展開チェック装置によれば、次の如き優れた効果を発揮する。
(1) 廃棄物の投入ステージの前端部に投入シュートが取り付けてある廃棄物積替施設の上記投入ステージ上の廃棄物投入位置に、底板と左右の側板と背板とからなり且つ背板の下端を底板の後端にヒンジにより取り付けて開閉用シリンダにて開閉できるようにしてあるチェックバケットを、上記背板が投入シュート側に面するように配置し、且つ上記チェックバケットの後端部を、投入ステージ上に設置したベースフレームにヒンジにより上下方向へ傾動自在に取り付け、更に、上記チェックバケットを傾動させるための傾動用シリンダ又は巻上装置を備えた構成としてあるので、特別な設置スペースが不要であり、且つ廃棄物のチェックは投入ステージとほぼ同一面で容易に行うことができ、しかも異状のない廃棄物はそのまま投入シュートに投入できることから便利であり、又、投入ステージとの取り合い構造が簡単であって、既設の施設にも容易に設置することができる。
(2) チェックバケットの底板の前端部側をスロープ状にしてあることから、運搬車両の乗り込みを何ら支障なく行わせることができる。
(3) チェックバケットの背板を下端のヒンジを支点に開閉用シリンダで開閉させることに代えて、背板の上端を左右の側板間にヒンジにより取り付けて、チェックバケットの傾動に伴わせて自重により開閉させるようにした構成とすることによって、開閉用シリンダを不要にでき、構造をより単純化することができる。
(4) チェックバケットをベースフレームと共に移動できるように構成すると、メンテナンス等を行うときに海から離れた地点へ移動させることができて有利である。
【図面の簡単な説明】
【図１】本発明の廃棄物展開チェック装置の実施の一形態を示す概要図である。
【図２】図１の部分拡大図である。
【図３】図２の一部切断平面図である。
【図４】本発明の他の実施の形態を示す概要図である。
【図５】本発明の更に他の実施の形態を示す概要図である。
【図６】本発明の更に別の実施の形態を示す概要図である。
【図７】ダンピングボックスの一例を示す概略図である。
【符号の説明】
１  投入ステージ
２  投入シュート
４  ベースフレーム
６  チェックバケット
６ａ  底板
６ｂ  側板
６ｃ  背板
９  傾動用シリンダ
１０  ヒンジ
１２  開閉用シリンダ
１３  ヒンジ
１５  チェーンブロック（巻上装置）
【図１】
0003641888.tif 000002
【図２】
0003641888.tif 000003
【図３】
0003641888.tif 000004
【図４】
0003641888.tif 000005
【図５】
0003641888.tif 000006
【図６】
0003641888.tif 000007
【図７】
0003641888.tif 000008